(57)【要約】      （修正有）【課題】化粧パネルの組み付け性に優れ、組み付け作業時に化粧パネルの前面に傷がつき難いコンロを提供する。【解決手段】ガスコンロ１（コンロ）は、筐体部と前面パネル２０（フロント部材）と化粧パネル７０とを備える。化粧パネル７０は、前面パネル２０から離れる所定方向への移動が規制される被規制部７３と、中央側突出部７５とを有する。前面パネル２０は、被規制部７３と接触して被規制部７３の移動を規制する規制部２３と、中央側突出部７５が挿入される孔部２５とを有する。中央側突出部７５は、孔部２５への挿入が開始される第１位置から孔部２５への挿入量が所定量となる第２位置までに、孔部２５に対する平面方向の相対変位が許容される構成である。被規制部７３は、中央側突出部７５が第１位置から第２位置に変位することに伴い、規制部２３によって規制される位置に向けて案内される。【選択図】図７
2020076510.tif 000002
【特許請求の範囲】
【請求項１】
ガスバーナを収容する筐体部と、
前記筐体部の前部に固定されるフロント部材と、
前記フロント部材の前側に装着される化粧パネルと、
を備えるコンロであって、
前記化粧パネルは、
当該化粧パネルの後面側に形成され、当該化粧パネルが前記フロント部材に装着された装着状態のときに前記フロント部材に接触して前記フロント部材から離れる所定方向への移動が規制される被規制部と、
前記被規制部よりも当該化粧パネルの中央側に設けられ、当該化粧パネルの後面部において前後方向に沿って突出する中央側突出部と、
を有し、
前記フロント部材は、
前記装着状態のときに前記被規制部と接触して前記被規制部の移動を規制する規制部と、
前記中央側突出部が挿入され、前記前後方向と直交する平面方向における当該フロント部材に対する前記中央側突出部の相対位置を定める孔部と、
を有し、
前記中央側突出部は、前記孔部への挿入が開始される第１位置から前記孔部への挿入量が所定量となる第２位置までに、前記孔部に対する前記平面方向の相対変位が許容される構成であり、
前記被規制部は、前記中央側突出部が前記第１位置から前記第２位置に変位することに伴い、前記規制部によって規制される位置に向けて案内される
コンロ。
【請求項２】
前記化粧パネルは、板状に構成されるとともに前面が露出面とされる板状部を有し、
前記中央側突出部は、前記板状部の後面から柱状に突出した構成をなし、
前記被規制部は、前記化粧パネルの後面側において後方に延びる構成をなす第２突出部を具備し、
前記規制部は、前記フロント部材の前面側において開口した構成をなし、前記装着状態のときに前記第２突出部が挿入される開口部を具備し、
前記第２突出部よりも前記中央側突出部のほうが、突出量が大きい
請求項１に記載のコンロ。
【請求項３】
前記中央側突出部は、
柱状に突出する柱状部と、
前記柱状部の外周面から突出し、前記柱状部の突出方向に沿って延びる凸部を有し、
前記凸部は、前記柱状部の先端に近づくにつれて突出高さが小さくなっている
請求項１又は請求項２に記載のコンロ。
【請求項４】
前記孔部の内壁部には、前記中央側突出部が前記第２位置まで挿入された挿入状態において前記凸部と対向する位置に、自身の周囲に配置された内壁面よりも突出した対向凸部が形成されている
請求項３に記載のコンロ。
【請求項５】
前記被規制部は、前記化粧パネルの後面側において後方に延びる構成をなす第２突出部を具備し、
前記規制部は、
前記フロント部材の前面側において開口した構成をなし、前記装着状態のときに前記第２突出部が挿入される開口部と、
前記装着状態のときに前記第２突出部と接触する段差部と、
を具備し、
前記第２突出部の先端側には、前記段差部に引っ掛かる折れ曲がり部が形成されている
請求項１から請求項４のいずれか１項に記載のコンロ。
【発明の詳細な説明】
【技術分野】
【０００１】
本発明は、コンロに関するものである。
【背景技術】
【０００２】
従来、筐体に固定されたフロントパネルに化粧パネルが装着されたコンロが実用に供されている。例えば、特許文献１に開示されるコンロは、意匠パネル７を構成する第１パネル３０が装置ユニット１０に対して装着されている。
【０００３】
特許文献１に開示されるコンロでは、次のようにして第１パネル３０を装置ユニット１０に対して組み付ける構成となっている。まず、第１パネル３０の右側を奥側に、左側を手前側に傾斜させた状態とし、第１パネル３０の裏面に設けられた位置決めリブ３６を、装置ユニット１０の右側前方の角部に対して右側から当てつつ、係止穴２５に係止爪３６Ａを係止させる。そして、装置ユニット１０の右側前方の角部に当てた位置決めリブ３６を回転中心として、第１パネル３０の左端側を、装置ユニット１０の前面に向けて回動させる。すると、装置ユニット１０に設けられた一対の係止穴１４Ａ，１４Ｂに対して、第１パネル３０の裏面に設けられた一対の係止爪３８Ａ，３８Ｂが位置決めされて係止される。これにより、第１パネル３０が装置ユニット１０に組み付けられる。
【先行技術文献】
【特許文献】
【０００４】
【特許文献１】特開２０１１−５２８３９号公報
【発明の概要】
【発明が解決しようとする課題】
【０００５】
しかしながら、コンロがキャビネット等に組み込まれた状態で上述のような組み付け作業をする場合、第１パネル３０の装着位置によっては第１パネル３０がキャビネット等の周囲の部材と干渉して、第１パネル３０の前面に傷がつく虞がある。また、特許文献１に開示のような構成では、第１パネル３０の組み付け作業時に、第１パネル３０の後側において各部が正規の組み付け位置にあるか否かを手に伝わる感触だけで判断する必要があり、第１パネル３０の組み付け性が悪い。
【０００６】
本発明は上述した課題の少なくとも一つを解決するためになされたものであり、化粧パネルの組み付け性に優れ、組み付け作業時に化粧パネルの前面に傷がつき難いコンロを提供することを目的とするものである。
【課題を解決するための手段】
【０００７】
本発明の一態様のコンロは、
ガスバーナを収容する筐体部と、
前記筐体部の前部に固定されるフロント部材と、
前記フロント部材の前側に装着される化粧パネルと、
を備えるコンロであって、
前記化粧パネルは、
当該化粧パネルの後面側に形成され、当該化粧パネルが前記フロント部材に装着された装着状態のときに前記フロント部材に接触して前記フロント部材から離れる所定方向への移動が規制される被規制部と、
前記被規制部よりも当該化粧パネルの中央側に設けられ、当該化粧パネルの後面部において前後方向に沿って突出する中央側突出部と、
を有し、
前記フロント部材は、
前記装着状態のときに前記被規制部と接触して前記被規制部の移動を規制する規制部と、
前記中央側突出部が挿入され、前記前後方向と直交する平面方向における当該フロント部材に対する前記中央側突出部の相対位置を定める孔部と、
を有し、
前記中央側突出部は、前記孔部への挿入が開始される第１位置から前記孔部への挿入量が所定量となる第２位置までに、前記孔部に対する前記平面方向の相対変位が許容される構成であり、
前記被規制部は、前記中央側突出部が前記第１位置から前記第２位置に変位することに伴い、前記規制部によって規制される位置に向けて案内される。
【発明の効果】
【０００８】
上記一態様のコンロのように、中央側突出部が第１位置から第２位置に変位することに伴い、被規制部が規制部によって規制される位置に向けて案内される構成であれば、化粧パネルの組み付け性に優れるとともに、組み付け作業時に化粧パネルの前面部に傷がつきにくい。
例えば、化粧パネルの後面側において、手探りで被規制部を規制部によって規制される位置に移動する構成では、被規制部の位置の調整が難しく、化粧パネルをフロント部材に組み付ける作業をしにくい。また、例えば、化粧パネルをフロント部材に対してその周縁部を軸として回動させて組み付ける構成では、化粧パネルの前面部が周囲の部材と干渉する虞があり、組み付け作業時に化粧パネルの前面部に傷がつくことが懸念される。
【図面の簡単な説明】
【０００９】
【図１】図１は、実施例１のガスコンロを概略的に示す正面図である。
【図２】図２は、実施例１のガスコンロを概略的に示す分解斜視図である。
【図３】図３は、前面パネルを斜め前側から見た斜視図である。
【図４】図４は、前面パネルの左側面図である。
【図５】図５は、化粧パネルを斜め後側から見た斜視図である。
【図６】図６は、ガスコンロを図１のＡ−Ａ位置で切断した断面において、中央側突出部及び孔部を示す断面図である。
【図７】図７は、ガスコンロを図１のＢ−Ｂ位置で切断した断面において、中央側突出部及び孔部、並びに被規制部及び規制部を示す断面図である。
【図８】図８（Ａ）は、第１位置における中央側突出部及び孔部、並びに被規制部及び規制部を示す断面図である。図８（Ｂ）は、第２位置における中央側突出部及び孔部、並びに被規制部及び規制部を示す断面図である。
【図９】図９（Ａ）は、図８（Ａ）のＣ−Ｃ位置で切断した断面において、中央側突出部及び孔部を示す断面図である。図９（Ｂ）は、図８（Ｂ）のＤ−Ｄ位置で切断した断面において、中央側突出部及び孔部を示す断面図である。
【発明を実施するための形態】
【００１０】
ここで、本発明の望ましい一例を示す。
化粧パネルは、板状に構成されるとともに前面が露出面とされる板状部を有し、中央側突出部は、板状部の後面から柱状に突出した構成をなし、被規制部は、化粧パネルの後面側において後方に延びる構成をなす第２突出部を具備していてもよい。規制部は、フロント部材の前面側において開口した構成をなし、装着状態のときに第２突出部が挿入される開口部を具備していてもよい。第２突出部よりも中央側突出部のほうが、突出量が大きい構成であってもよい。この構成によれば、中央側突出部が孔部へ挿入される過程で第２突出部を開口部に挿入することができ、化粧パネルの組み付け性に優れる。
【００１１】
中央側突出部は、柱状に突出する柱状部と、柱状部の外周面から突出し、柱状部の突出方向に沿って延びる凸部を有し、凸部は、柱状部の先端に近づくにつれて突出高さが小さくなっていてもよい。凸部の突出高さが先端に向かうにつれて小さくなることにより、中央側突出部の先端の径を孔部の径に比して小さくすることができ、中央側突出部を孔部に差し込みやすくなる。そして、中央側突出部が第２位置まで挿入された状態では、凸部を孔部の内壁面に接触させることにより、被規制部を規制部によって規制される位置に向けて案内することができる。
【００１２】
孔部の内壁部には、中央側突出部が第２位置まで挿入された挿入状態において凸部と対向する位置に、自身の周囲に配置された内壁面よりも突出した対向凸部が形成されていてもよい。この構成によれば、対向凸部の突出高さの分だけ対向凸部の周囲に配置された内壁面と柱状部との間の隙間を確保することができる。このため、中央側突出部を孔部に挿入する際に、柱状部の先端が内壁面に干渉しにくく、中央側突出部を孔部にスムーズに挿入することができる。
【００１３】
被規制部は、化粧パネルの後面側において後方に延びる構成をなし、先端側に折れ曲がり部が形成されてなる第２突出部を具備していてもよい。規制部は、フロント部材の前面側において開口した構成をなし、装着状態のときに第２突出部が挿入される開口部と、装着状態のときに第２突出部と接触する段差部と、を具備していてもよい。第２突出部の先端側には、段差部に引っ掛かる折れ曲がり部が形成されていてもよい。この構成によれば、中央側突出部が孔部に挿入されるのに伴い、第２突出部を開口部に挿入するとともに折れ曲がり部を段差部に引っ掛かる位置まで変位させることができ、化粧パネルの組み付け性に優れる。
【００１４】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１５】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１６】
ガスコンロ１は、システムキッチンのカウンタトップに設けられた開口に落とし込まれて設置されている。図２のように、ガスコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前部に固定される前面パネル２０と、前面パネル２０の前側に装着される化粧パネル７０と、を備える。前面パネル２０は、フロント部材の一例に相当する。
【００１７】
筐体部２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部（図示略）が連結されている。筐体部２は、これらの壁部によって上部が開口した箱状形態をなしており、筐体部２の上端部には、天板３（トッププレート）が取り付けられている。
【００１８】
図１、図２のように、天板３は、板状に構成されると共にガスバーナを露出させるための開口部（貫通孔）が複数個形成された構成をなす。天板３は、カウンタトップの上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００１９】
図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ（図示略）が設けられている。
【００２０】
筐体部２の中央付近には、グリル部８が設けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。天板３において後端寄りの位置には、グリル庫と連通するグリル排気口９が設けられている。
【００２１】
図１のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた操作ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた図示しない制御回路と接続されており、使用者が押し込み操作すると、制御回路による制御により、その操作されたボタンに対応するガスバーナの点火又は消火が行われるようになっている。
【００２２】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ガスコンロ１に電力を供給するための電池を収容する電池ボックス１８が設けられている。点火ボタン１１，１４の下側には、各コンロによる調理の加熱温度、加熱時間等を設定するための操作パネルを前後方向に出退可能に保持する操作ユニット１９が設けられている。
【００２３】
次に、化粧パネル７０を前面パネル２０に対して装着するための構成について説明する。図３及び図５に示すように、化粧パネル７０は被規制部７３と中央側突出部７５（第１突出部）とを有し、前面パネル２０は規制部２３と孔部２５とを有している。そして、化粧パネル７０は、中央側突出部７５及び孔部２５によって前面パネル２０に対する上下左右（前後方向と直交する平面方向）の位置が定められ、被規制部７３及び規制部２３によって前面パネル２０に対して保持される構成となっている。また、化粧パネル７０は前面パネル２０の左右の面５１，５５と接触するリブ８１，８５と凸部８２〜８４，８６〜８８とを有し、前面パネル２０は凸部８２〜８４，８６〜８８が嵌り込む切り欠き部５２〜５４，５６〜５８を有している。さらに、化粧パネル７０には、前面パネル２０に係止されるロック部材３０が取り付けられている。そして、各部が組み付けられることにより、化粧パネル７０が前面パネル２０に装着された装着状態（以下、化粧パネル７０の装着状態とも称する）となる。
【００２４】
次に、化粧パネル７０の各部の構成について説明する。図５及び図７に示すように、化粧パネル７０は、板状に構成されるとともに前面７１Ａが露出面とされる板状部７１を有している。板状部７１は、前面７１Ａがガスコンロ１の外観を構成する。板状部７１は、正面視にて略矩形状の外形をなし、上部に火力調整レバー１６Ａ，１６Ｄ等を挿入するためのレバー用開口を有するとともに、下部に点火ボタン１１，１４を露出するための点火ボタン用開口７２を有している。本実施例１では、化粧パネル７０には、４つの被規制部７３が形成されており、２つの被規制部７３が板状部７１の下縁部（周縁部）に配され、２つの規制部２３が点火ボタン用開口７２の上側に配されている。また、本実施例１では、被規制部７３は、左右方向において中央側突出部７５の両側に配されている。各被規制部７３は同様の構成とされており、以下、化粧パネル７０の下縁部右側に配された被規制部７３を例にとって説明する。
【００２５】
図７に示すように、被規制部７３は、化粧パネル７０の後面側に形成され、化粧パネル７０の装着状態のときに前面パネル２０に接触して前面パネル２０から離れる所定方向への移動が規制される。「前面パネル２０から離れる所定方向」は、前面パネル２０から少なくとも前方に向かう方向とされる。被規制部７３が規制部２３により移動が規制される作用については後に説明する。
【００２６】
図５及び図７に示すように、被規制部７３は、化粧パネル７０の後面側において後方に延びる構成をなす第２突出部７３Ａを具備する。第２突出部７３Ａには、先端側に折れ曲がり部７３Ｂが形成されてなり、被規制部７３全体として係止爪として構成されている。具体的には、被規制部７３は、板状部７１の後面７１Ｂから後方に向けて平板状に突出するとともに、先端部が板厚方向に屈曲する形で折れ曲がり部７３Ｂが設けられている。折れ曲がり部７３Ｂは、後述する被規制部７３の段差部２３Ｂに引っ掛かる構成となっている。
【００２７】
図５に示すように、中央側突出部７５は、被規制部７３よりも化粧パネル７０の中央側に設けられ、化粧パネル７０の後面部７０Ｂにおいて前後方向に沿って突出する。具体的には、中央側突出部７５は、化粧パネル７０の左右方向中央部であって、レバー用開口と点火ボタン用開口７２の間に設けられている。このような構成により、化粧パネル７０の前面部７０Ａを押圧して中央側突出部７５を孔部２５に挿入する際に、中央側突出部７５が孔部２５の貫通方向に対して傾きにくく、スムーズな挿入が実現されている。
【００２８】
中央側突出部７５は、板状部７１の後面７１Ｂから柱状に突出した構成をなす。中央側突出部７５は、軸方向が突出方向であり、ガスコンロ１の前後方向が突出方向となっている。この中央側突出部７５は、第２突出部７３Ａよりも突出量が大きいものとなっている。なお、中央側突出部７５及び第２突出部７３Ａの突出量は、板状部７１の後面７１Ｂを基準として後方に突出した量とする。本実施例１では、中央側突出部７５は、柱状に突出する柱状部７６と、柱状部７６の外周面７６Ａから突出し、柱状部７６の突出方向に沿って延びる凸部７７を有している。柱状部７６は角筒状をなし、４つの側面の各々に凸部７７が設けられている。柱状部７６は先端が先細り形状となっており、凸部７７は先端を除く柱状部７６の略全長に亘って延びる形をなす。凸部７７は、柱状部７６の先端に近づくにつれて突出高さが小さくなっている。凸部７７は、柱状部７６の基端側では、断面視略半円状をなし、孔部２５の内壁面２６Ａ（後述する対向凸部２７）に対して線状に当接する構成となっている。
【００２９】
図５に示すように、右側リブ８１は、板状部７１の後面７１Ｂから後方に向けて突出するとともに、前面パネル２０の右側面５１に沿って上下方向に沿って延びる形で設けられている。右側リブ８１は、左側（左右方向内側）の板面が前面パネル２０の右側面５１に接触するような構成となっている。右側リブ８１には、左面側から左方に突出する構成をなす第１凸部８２，第２凸部８３，第３凸部８４が設けられている。第１凸部８２及び第２凸部８３は、右側リブ８１の後端部に設けられた突起状をなす。第３凸部８４は、右側リブ８１の基端部から先端部に向かって延びる突条をなす。なお、化粧パネル７０は、右側リブ８１より右側に張り出した部位が、筐体部２の右側の空間を前方から覆う目隠し部としての機能を有する。
【００３０】
左側リブ８５は、板状部７１の後面７１Ｂから後方に向けて突出するとともに、前面パネル２０の後述する左側面５５に沿って上下方向に沿って延びる形で設けられている。左側リブ８５は、右側（左右方向外側）の板面が前面パネル２０の左側面５５に接触するような構成となっている。左側リブ８５には、右面側から右方に突出する構成をなす第１凸部８６，第２凸部８７，第３凸部８８が設けられている。第１凸部８６、第２凸部８７、第３凸部８８の構成は、右側リブ８１の第１凸部８２、第２凸部８３、第３凸部８４の構成と同様であり、その説明を省略する。
【００３１】
上述した中央側突出部７５の突出量は、右側リブ８１と左側リブ８５の突出量よりも大きいものとなっている（図６参照）。また、右側リブ８１の第３凸部８４と左側リブ８５の第３凸部８８は、中央側突出部７５の左右両側にそれぞれ配されている。そして、第１凸部８２，８６と、第２凸部８３，８７とが、それぞれ第３凸部８４，８８の上下両側にそれぞれ配されている。
【００３２】
図５に示すように、ロック部材３０は、上壁部７９に設けられた貫通孔（図示略）を貫通する形で化粧パネル７０に取り付けられている。ロック部材３０は、上壁部７９の上部に露出してスライド操作される操作部３１と、操作部３１の下面からそれぞれ上壁部７９の下方に突出するブロック状のロック部３２，３２と、を備えている。ロック部材３０は、化粧パネル７０に対して左右にスライドされることにより、前面パネル２０にロックされる第１位置と、前面パネル２０とのロックが解除される第２位置とに変位する構成となっている。
【００３３】
次に、前面パネル２０の各部の構成について説明する。前面パネル２０は、化粧パネル７０の装着状態で、前面部２０Ａが化粧パネル７０の板状部７１に覆われるものとされる。図３に示すように、前面パネル２０には、化粧パネル７０の４つの被規制部７３の各々と対応する位置に４つの規制部２３が設けられるとともに、中央側突出部７５と対応する位置に孔部２５が設けられている。各規制部２３は同様の構成とされており、以下、前面パネル２０の右下側に配された規制部２３を例にとって説明する。
【００３４】
図７に示すように、規制部２３は、化粧パネル７０の装着状態のときに被規制部７３と接触して被規制部７３の移動を規制する。規制部２３は、前面パネル２０の前面部２０Ａ側において開口した構成をなし、装着状態のときに第２突出部７３Ａが挿入される開口部２３Ａと、装着状態のときに第２突出部７３Ａ（折れ曲がり部７３Ｂ）と接触する段差部２３Ｂと、を具備する。開口部２３Ａは、平面視矩形状をなし、前面パネル２０を前後に貫通するようにして設けられている。段差部２３Ｂは、開口部２３Ａの内壁面から下方に延び、後方を向く段差面を有して構成されている。このような段差面は、開口部２３Ａの内壁面を構成する壁部を一部切り欠くようにして形成されている。なお、点火ボタン用開口７２の上側に配された規制部２３では、段差面は開口部２３Ａの内壁面を構成する壁部の後端面によって形成されている。
【００３５】
図８に示すように、孔部２５は、中央側突出部７５が挿入され、前後方向と直交する平面方向における前面パネル２０に対する中央側突出部７５の相対位置を定める。本実施例１において「前後方向と直交する平面方向」は、ガスコンロ１の上下方向及び左右方向に広がる面の方向とされる。つまり、この平面方向は、おおむね前面パネル２０の前面部２０Ａの面方向と一致している。孔部２５は、中央側突出部７５が当該孔部２５に挿入される過程で、内壁面２６Ａが中央側突出部７５の外周面に接触することにより、化粧パネル７０を正規の位置に案内する構成となっている。
【００３６】
図７及び図９に示すように、孔部２５は、前面パネル２０の前面側において開口した構成をなし、中央側突出部７５が挿入される孔部側開口部２５Ａと、孔部側開口部２５Ａの後方（奥方）において内壁面２６Ａを構成する内壁部２６を有する。具体的には、孔部側開口部２５Ａは、前面パネル２０の前面部２０Ａを構成する部位を前後方向に貫通するようにして設けられている。孔部側開口部２５Ａは、平面視にて柱状部７６の先端より一回り大きい方形状をなす。内壁部２６は、中央側突出部７５が後述する第２位置まで挿入された挿入状態（以下、中央側突出部７５の挿入状態とも称する）で、中央側突出部７５を囲むようにして前面部２０Ａを構成する部位から後方に突出する壁部を具備した構成となっている。
【００３７】
内壁部２６には、中央側突出部７５の挿入状態において凸部７７と対向する位置に、自身の周囲に配置された内壁面２６Ａよりも突出した対向凸部２７が形成されている。つまり、内壁部２６は、中央側突出部７５の挿入状態において、中央側突出部７５を囲む壁部の内面から対向凸部２７がリブ状に突出する構成となっている。そして、孔部２５は、内壁部２６における対向凸部２７が形成されていない部位と、柱状部７６との間に隙間を有している。この内壁部２６には、対向凸部２７が形成されていない部位に、点火ボタン１１，１４に設けられた左右一対の揺動軸１５のうち、一方の揺動軸１５を支持する軸支孔２９が形成されている（図８（Ｂ）参照）。
【００３８】
図３に示すように、右側面５１には、第１凸部８２，第２凸部８３，第３凸部８４がそれぞれ係止される第１切り欠き部５２、第２切り欠き部５３、第３切り欠き部５４が設けられている。第１切り欠き部５２及び第２切り欠き部５３は、右側面５１を後側が開いたＵ字状に切り欠くような形で設けられている。第３切り欠き部５４は、右側面５１と前面２０Ａの右端部を正面視にして右側が開いたＵ字状に切り欠くような形で設けられている。
【００３９】
左側面５５は、左側を向く面であって、前面パネル２０の前面２０Ａにおける左端部付近が後方に後退した段差構造によって形成されている（図６参照）。左側面５５には、第１凸部８６，第２凸部８７，第３凸部８８がそれぞれ係止される第１切り欠き部５６、第２切り欠き部５７、第３切り欠き部５８が設けられている。第１切り欠き部５６、第２切り欠き部５７、第３切り欠き部５８は、右側面５１の第１切り欠き部５２、第２切り欠き部５３、第３切り欠き部５４と概ね左右対称に構成されており、その説明を省略する。
【００４０】
前面パネル２０の上部には、ロック部材３０が係止される被係止部４０が設けられている。被係止部４０は、第１位置におけるロック部３２，３２の前面と対向する前壁部４１，４１と、前壁部４１，４１の後方においてロック部３２，３２を収容する収容空間４２，４２とを有して構成されている。収容空間４２，４２は、第１位置と第２位置との変位を許容しつつロック部３２，３２を収容し得る大きさとなっている。前壁部４１，４１は、第２位置におけるロック部３２，３２の前面と対向する位置には設けられていない。このため、ロック部材３０の第２位置において、ロック部３２，３２を前方から収容空間４２，４２に嵌め込み、また、ロック部３２，３２を収容空間４２，４２から前方に取り外すことができるようになっている。
【００４１】
次に、化粧パネル７０の前面パネル２０への装着に係る構成について説明する。中央側突出部７５は、図８（Ａ）及び図９（Ａ）に示す孔部２５への挿入が開始される第１位置から、図８（Ｂ）及び図９（Ｂ）に示す孔部２５への挿入量が所定量となる第２位置までに、孔部２５に対する平面方向（具体的には前後方向と直交する平面方向）の相対変位が許容される構成である。第１位置は、前面パネル２０に対する中央側突出部７５の相対位置のうち、図８（Ａ）のように、中央側突出部７５の一部が孔部２５の内部領域に入り込み始めたときの位置であり、中央側突出部７５が上記平面方向に相対変位することが許容される位置である。具体的には、中央側突出部７５は、第１位置にあるときに孔部２５内で上下方向にも左右方向にも若干の相対変位が許容されるようになっている。第２位置は、前面パネル２０に対する中央側突出部７５の相対位置のうち、図８（Ｂ）のように、中央側突出部７５が第１位置のときより孔部２５内に深く挿入された位置であり、中央側突出部７５が上記平面方向に相対変位することが許容されなくなった位置である。本実施例１では、図８（Ｂ）のように中央側突出部７５が孔部２５内へ入り込んで折れ曲がり部７３Ｂが段差部２３Ｂに引っ掛かる位置（具体的には、中央側突出部７５が孔部２５内にそれ以上挿入されることが規制される位置）を中央側突出部７５の第２位置としており、中央側突出部７５は、第２位置にあるときに孔部２５内で上下方向及び左右方向の相対変位が許容されずに上記平面方向の移動が規制されるようになっている。なお、第２位置は、中央側突出部７５が上記平面方向に相対変位することが許容されない位置であれば孔部２５内の最も深い位置（それ以上挿入されることが規制される位置）まで挿入されたときの位置でなくてもよく、その手前の深さまで挿入されたときの位置であってもよい。
【００４２】
中央側突出部７５の第１位置において、柱状部７６の先端と孔部側開口部２５Ａとの間には隙間が存在し、柱状部７６を孔部側開口部２５Ａに差し込みやすくなっている。中央側突出部７５は、第１位置からさらに孔部２５に挿入されると、凸部７７が孔部２５の内壁面２６Ａに接触して、中央側突出部７５が平面方向において正規の位置に向けて変位する。本実施例１では、中央側突出部７５は、第１位置から第２位置に至る手前の位置であり、上下左右に位置する４つの凸部７７がそれぞれ内壁面２６Ａと接触を開始する位置まで挿入されると、中央側突出部７５の平面方向の相対変位が完了し、平面方向において正規の位置に至る。
【００４３】
被規制部７３は、中央側突出部７５が第１位置から第２位置に変位することに伴い、規制部２３によって規制される位置に向けて案内される。具体的には、中央側突出部７５の第１位置では、平面方向において、４つの被規制部７３の各々が４つ規制部２３からズレた状態であることが許容される。中央側突出部７５が第１位置からさらに挿入され、中央側突出部７５が平面方向において正規の位置まで変位すると、４つの被規制部７３の各々は平面方向において４つ規制部２３の位置と整合する位置まで案内される。本実施例１では、第２突出部７３Ａが開口部２３Ａへ挿入される前に、第２突出部７３Ａは平面方向において開口部２３Ａと整合する位置まで案内される。この状態から、さらに中央側突出部７５が孔部２５に挿入されると、第２突出部７３Ａは弾性変形を伴って開口部２３Ａに挿入される。そして、中央側突出部７５が第２位置に至ると、折れ曲がり部７３Ｂが段差部２３Ｂの後方まで移動して、第２突出部７３Ａが弾性復帰する。中央側突出部７５の第２位置においては、折れ曲がり部７３Ｂの前面が段差部２３Ｂの段差面と接触して、化粧パネル７０は前面パネル２０から前方へ移動することが規制される。折れ曲がり部７３Ｂの前面と段差部２３Ｂの段差面との接触は、化粧パネル７０が前面パネル２０に対して上方に変位することにより解除され得るが、中央側突出部７５の上面が孔部２５の内壁面２６Ａに接触してそのような変位が規制される。さらに、本実施例１では、第２突出部７３Ａの下面が開口部２３Ａの内面に接触して、化粧パネル７０は前面パネル２０から下方へ移動することが規制される。このようにして、規制部２３は被規制部７３の所定方向への移動を規制する。
【００４４】
上述の被規制部７３の第２突出部７３Ａを撓みやすくして段差部２３Ｂとの掛かり代を十分に確保するために、第２突出部７３Ａの突出量を大きくして、折れ曲がり部７３Ｂが開口部２３Ａの奥方において段差部２３Ｂに引っ掛かる構成とすることが考えられる。しかし、第２突出部７３Ａは、突出量が大きい程折れやすくなり、化粧パネル７０を前面パネル２０に組み付ける際に前面パネル２０の前面２０Ａに当たると折れることが懸念される。このため、被規制部７３が第２突出部７３Ａを具備する構成においては、第２突出部７３Ａを開口部２３Ａの位置に精度よく案内することが望まれる。その点、本実施例１では、中央側突出部７５が第１位置から第２位置に変位することに伴い第２突出部７３Ａが開口部２３Ａの位置まで案内されるから、第２突出部７３Ａの突出量を十分に確保した場合であっても、第２突出部７３Ａが前面パネル２０の前面２０Ａに当たりにくくなっており、化粧パネル７０の組み付け性に優れる。
【００４５】
化粧パネル７０は、経年変化等によりの中央部付近が膨出しやすく、そのような膨出を抑えるために中央部に被規制部７３を設けることが望ましい。本実施例１では、４つの被規制部７３のうち上方に位置する２つの被規制部７３は、化粧パネル７０における中央部（点火ボタン１１，１４近傍）に設けられている（図５参照）。被規制部７３を化粧パネル７０の中央部に設ける構成では、これと係合する規制部２３を前面パネル２０の前面２０Ａの中央部に設ける必要があるが、前面２０Ａの中央部は規制部２３を設けるためのスペースの確保が難しく、規制部２３の開口部２３Ａを小さくせざるを得ないという事情がある。このため、被規制部７３を化粧パネル７０の中央部に設ける構成では、上述したような第２突出部７３Ａの折れを回避するべく、第２突出部７３Ａを開口部２３Ａの位置により一層精度よく案内することが求められる。本実施例１では、中央側突出部７５が第１位置から第２位置に変位することに伴い第２突出部７３Ａが開口部２３Ａの位置まで案内されるから、開口部２３Ａが小さい場合であっても、第２突出部７３Ａが前面パネル２０の前面２０Ａに当たりにくくなっており、化粧パネル７０の組み付け性に優れる。さらに、本実施例１では、第２突出部７３Ａより中央側突出部７５の突出量が大きく、化粧パネル７０の中央部に設けられた第２突出部７３Ａが開口部２３Ａへ挿入される前に、当該第２突出部７３Ａが開口部２３Ａの位置まで案内されるから、特に好ましい。
【００４６】
また、中央側突出部７５が第１位置から第２位置に変位することに伴い、右側リブ８１及び左側リブ８５が前面パネル２０の左右方向外側に嵌り込んで、前面パネル２０に対する化粧パネル７０の左右方向の位置ずれを抑制する。そのうえで、第１凸部８２，８６及び第２凸部８３，８７は、化粧パネル７０の外縁付近において前面パネル２０に対する化粧パネル７０の前後方向の移動を規制する。詳細には、第１凸部８２，８６及び第２凸部８３，８７は、中央側突出部７５が第１位置から第２位置に変位することに伴い、第１切り欠き部５２，５６及び第２切り欠き部５３，５７に引っ掛かる位置に向けて案内される。中央側突出部７５の第２位置においては、第１凸部８２，８６及び第２凸部８３，８７がそれぞれ第１切り欠き部５２，５６及び第２切り欠き部５３，５７の後方に位置して、自身の前面が前面パネル２０の後面に引っ掛かり、化粧パネル７０の前方への移動を規制する。つまり、第１凸部８２，８６及び第２凸部８３，８７は被規制部に相当する部位であり、第１切り欠き部５２，５６及び第２切り欠き部５３，５７は規制部に相当する部位である。また、中央側突出部７５の第２位置においては、第３凸部８４，８８の外周面が第３切り欠き部５４，５８の内壁面と対向して、化粧パネル７０の上下方向への移動を規制する。
【００４７】
以上のようにして、化粧パネル７０は、前面パネル２０に対して上下左右への位置が規定されるとともに前方への変位が規制され、前面パネル２０に対して仮固定された状態となる。
【００４８】
続いて、化粧パネル７０が前面パネル２０に対して仮固定された状態で、ロック部材３０を第１位置から第２位置に変位させ、ロック部３２，３２の前側に前壁部４１，４１が位置する状態とする。この状態では、化粧パネル７０は、前面パネル２０に対する前方への変位が確実に規制され、化粧パネル７０が前面パネル２０に対して本固定された状態となる。以上により、化粧パネル７０の前面パネル２０に対する装着が完了する。
【００４９】
次に、本構成の効果を例示する。
ガスコンロ１のように、中央側突出部７５が第１位置から第２位置に変位することに伴い、被規制部７３が規制部２３によって規制される位置に向けて案内される構成であれば、化粧パネル７０の組み付け性に優れるとともに、組み付け作業時に化粧パネル７０の前面部７０Ａに傷がつきにくい。
例えば、化粧パネル７０の後面側において、手探りで被規制部７３を規制部２３によって規制される位置に移動する構成では、被規制部７３の位置の調整が難しく、化粧パネル７０を前面パネル２０に組み付ける作業をしにくい。また、例えば、化粧パネル７０を前面パネル２０に対してその周縁部を軸として回動させて組み付ける構成では、化粧パネル７０の前面部７０Ａが周囲の部材と干渉する虞があり、組み付け作業時に化粧パネル７０の前面部７０Ａに傷がつくことが懸念される。
【００５０】
本実施例１において、第２突出部７３Ａよりも中央側突出部７５のほうが、突出量が大きい。この構成によれば、中央側突出部７５が孔部２５へ挿入される過程で第２突出部７３Ａを開口部２３Ａに挿入することができ、化粧パネル７０の組み付け性に優れる。
【００５１】
本実施例１において、凸部７７は、柱状部７６の先端に近づくにつれて突出高さが小さくなっている。凸部７７の突出高さが先端に向かうにつれて小さくなることにより、中央側突出部７５の先端の径を孔部の径に比して小さくすることができ、中央側突出部７５を孔部２５に差し込みやすくなる。そして、中央側突出部７５が第２位置まで挿入された状態では、凸部７７を孔部２５の内壁面２６Ａに接触させることにより、被規制部７３を規制部２３によって規制される位置に向けて案内することができる。
【００５２】
孔部２５の内壁部２６には、中央側突出部７５が第２位置まで挿入された挿入状態において凸部７７と対向する位置に、自身の周囲に配置された内壁面２６Ａよりも突出した対向凸部２７が形成されている。この構成によれば、対向凸部２７の突出高さの分だけ対向凸部２７の周囲に配置された内壁面２６Ａと柱状部７６との間の隙間を確保することができる。このため、中央側突出部７５を孔部２５に挿入する際に、柱状部７６の先端が内壁面２６Ａに干渉しにくく、中央側突出部７５を孔部２５にスムーズに挿入することができる。
【００５３】
本実施例１において、第２突出部７３Ａの先端側には、段差部２３Ｂに引っ掛かる折れ曲がり部７３Ｂが形成されている。この構成によれば、中央側突出部７５が孔部２５に挿入されるのに伴い、第２突出部７３Ａを開口部２３Ａに挿入するとともに折れ曲がり部７３Ｂを段差部２３Ｂに引っ掛かる位置まで変位させることができ、化粧パネル７０の組み付け性に優れる。
【００５４】
＜他の実施例＞
本発明は上記記述及び図面によって説明した実施例に限定されるものではなく、例えば次のような例も本発明の技術的範囲に含まれる。
【００５５】
上述した実施例以外にも、被規制部７３及び規制部２３の形状は適宜変更可能である。上述した実施例では、被規制部７３が第２突出部７３Ａと折れ曲がり部７３Ｂを有し、規制部２３が開口部２３Ａと段差部２３Ｂを有する構成を例示したが、被規制部及び規制部の構成はこれに限られない。規制部は、化粧パネルの装着状態のときに被規制部と接触して被規制部の移動を規制する構成であればよく、例えば、被規制部が段差部を有して構成され、規制部が段差部に引っ掛かる爪部等を有して構成されていてもよい。
【００５６】
上述した実施例以外にも、被規制部７３及び規制部２３の数及び配置は適宜変更可能である。例えば、上述した実施例では、被規制部７３及び規制部２３は、それぞれ単数であってもよく、また、２つや３つ、５つ以上であってもよい。また、その配置も適宜設定可能である。
【００５７】
上述した実施例以外にも、中央側突出部７５及び孔部２５の形状、配置等は適宜変更可能である。例えば、中央側突出部が凸部を有しない角柱状に構成され、孔部が角柱状の中央側突出部より一回り大きい内径を有する孔として構成されていてもよい。また、上述した実施例では、孔部２５の内壁部２６が、前面パネル２０の前面２０Ａを構成する部位と当該部位から後方に突出する壁部によって構成されるものを例示したが、内壁部は前面パネル２０の前面２０Ａを構成する部位のみによって構成されていてもよい。
【００５８】
上述した実施例のガスコンロ１はビルトインコンロであるが、テーブルコンロ等であってもよい。
【符号の説明】
【００５９】
１…ガスコンロ（コンロ）
２…筐体部
４，５，６…ガスバーナ
２０…前面パネル（フロント部材）
２０Ａ…前面部
２３…規制部
２３Ａ…開口部
２３Ｂ…段差部
２５…孔部
２６…内壁部
２６Ａ…内壁面
２７…対向凸部
７０…化粧パネル
７０Ｂ…後面部
７１…板状部
７１Ａ…前面
７１Ｂ…後面
７３…被規制部
７３Ａ…第２突出部
７３Ｂ…折れ曲がり部
７５…中央側突出部
７６…柱状部
７６Ａ…外周面
７７…凸部
【図１】
2020076510.tif 000003
【図２】
2020076510.tif 000004
【図３】
2020076510.tif 000005
【図４】
2020076510.tif 000006
【図５】
2020076510.tif 000007
【図６】
2020076510.tif 000008
【図７】
2020076510.tif 000009
【図８】
2020076510.tif 000010
【図９】
2020076510.tif 000011